(57)【要約】【課題】ピボットヒンジの軸固定ねじが抜け落ち難いドアの提供を目的とするドアを提供する。【解決手段】上ピボットヒンジ１５は、上下方向に移動自在な上ピボット軸１１と、上ピボット軸１１を収納した軸保持筒１９と、上ピボット軸１１を軸保持筒１９に固定する軸固定ねじ２１と、軸保持筒１９に設けたカバー台座部２３と、カバー材２５とを有し、軸固定ねじ２１の頭２１ａは、軸保持筒１９とカバー台座部２３の間に位置しており、カバー台座部２３は開口部３５を有し、開口部３５から軸固定ねじ２１の上下位置及び締め付けを調整自在としてあり、カバー材２５はカバー台座部２５の開口部３５を塞ぐものであり、カバー台座部２３の開口部３５の左右方向の寸法Ｗ２が、軸固定ねじ２１の頭２１ａの左右方向の寸法Ｈよりも小さい。【選択図】図１
2015090014.tif 000002
【特許請求の範囲】
【請求項１】
扉と、扉に設けたピボットヒンジとを備え、ピボットヒンジは、上下方向に移動自在な軸と、軸を収納した軸保持筒と、軸を軸保持筒に固定する軸固定ねじと、軸保持筒に設けたカバー台座部と、カバー材とを有し、軸固定ねじの頭は、軸保持筒とカバー台座部の間に位置しており、カバー台座部は開口部を有し、開口部から軸固定ねじの上下位置及び締め付けを調整自在としてあり、カバー材はカバー台座部の開口部を塞ぐものであり、カバー台座部の開口部の左右方向の寸法が、軸固定ねじの頭の左右方向の寸法よりも小さいことを特徴とするドア。
【請求項２】
枠と、扉と、扉に設けたピボットヒンジとを備え、ピボットヒンジは、上下方向に移動自在な軸と、軸を収納した軸保持筒と、軸を軸保持筒に固定する軸固定ねじと、軸保持筒に設けたカバー台座部と、カバー材とを有し、枠はピボットヒンジの軸を受ける軸受けを有し、軸固定ねじはねじ込みにより軸を軸保持筒に固定してあり、カバー台座部は開口部を有し、開口部から軸固定ねじの上下位置及び締め付けを調整自在としてあり、カバー材はカバー台座部の開口部を塞ぐものであり、裏面にねじ干渉部を有し、ねじ干渉部は、軸固定ねじが上下方向に移動自在な範囲の長さであり、軸固定ねじが所定位置までねじ込まれていない状態のときに軸固定ねじの頭に当接して、カバー材でカバー台座部の開口部を塞げないようにしてあることを特徴とするドア。
【発明の詳細な説明】
【技術分野】
【０００１】
本発明は、ドアに関する。
【背景技術】
【０００２】
軸保持筒に対して軸を上下動自在に設け、軸を上方に突出させた位置で軸固定ねじを締め付けて、軸を軸保持筒に固定するピボットヒンジが公知である（公知技術）。
【先行技術文献】
【特許文献】
【０００３】
【特許文献１】なし
【発明の概要】
【発明が解決しようとする課題】
【０００４】
しかし、上述の公知技術において、使用や経年により、ピボットヒンジの軸固定ねじが緩んで抜け落ちることが懸念されており、軸固定ねじが抜け落ち難いものが求められていた。
【０００５】
そこで、本発明は、ピボットヒンジの軸固定ねじが抜け落ち難いドアの提供を目的とする。
【課題を解決するための手段】
【０００６】
請求項１に記載の発明は、扉と、扉に設けたピボットヒンジとを備え、ピボットヒンジは、上下方向に移動自在な軸と、軸を収納した軸保持筒と、軸を軸保持筒に固定する軸固定ねじと、軸保持筒に設けたカバー台座部と、カバー材とを有し、軸固定ねじの頭は、軸保持筒とカバー台座部の間に位置しており、カバー台座部は開口部を有し、開口部から軸固定ねじの上下位置及び締め付けを調整自在としてあり、カバー材はカバー台座部の開口部を塞ぐものであり、カバー台座部の開口部の左右方向の寸法が、軸固定ねじの頭の左右方向の寸法よりも小さいことを特徴とするドアである。
【０００７】
請求項２に記載の発明は、枠と、扉と、扉に設けたピボットヒンジとを備え、ピボットヒンジは、上下方向に移動自在な軸と、軸を収納した軸保持筒と、軸を軸保持筒に固定する軸固定ねじと、軸保持筒に設けたカバー台座部と、カバー材とを有し、枠はピボットヒンジの軸を受ける軸受けを有し、軸固定ねじはねじ込みにより軸を軸保持筒に固定してあり、カバー台座部は開口部を有し、開口部から軸固定ねじの上下位置及び締め付けを調整自在としてあり、カバー材はカバー台座部の開口部を塞ぐものであり、裏面にねじ干渉部を有し、ねじ干渉部は、軸固定ねじが上下方向に移動自在な範囲の長さであり、軸固定ねじが所定位置までねじ込まれていない状態のときに軸固定ねじの頭に当接して、カバー材でカバー台座部の開口部を塞げないようにしてあることを特徴とするドアである。
【発明の効果】
【０００８】
請求項１に記載の発明によれば、カバー台座部の開口部の左右寸法は、軸固定ねじの頭の左右寸法よりも小さくしてあるので、使用や経年によりピボットヒンジの軸固定ねじが緩んでカバー台座部の開口部から軸固定ねじが抜け落ちるのを防止できる。
【０００９】
請求項２に記載の発明によれば、カバー台座部にカバー材を取り付けた状態では、カバー材のねじ干渉部が軸固定ねじの頭を押えているので、使用や経年によりピボットヒンジの軸固定ねじが緩んで抜け落ちるのを防止できる。
また、ピボットヒンジの軸が軸受けに適切に挿入されていても、軸固定ねじが適正にねじ込まれていない場合には、カバー材の裏面に設けた干渉部が、軸固定ねじの頭に当接してカバー材がカバー台座部の開口部を塞ぐことができないから、軸固定ねじが軸を固定しているか否かを確認できる。
【図面の簡単な説明】
【００１０】
【図１】図２に示すドアの吊元側部を図２に示すＡ−Ａ位置で切断して示す横断面である。
【図２】本発明の実施の形態にかかるドアの吊元側部を概略的に示した図であって、ピボットヒンジを抜き出して示す斜視図である。
【図３】軸固定ねじを取り付けた上ピボット軸と、軸保持筒と、軸保持筒の支持部の図であって、（ａ）は側面図、（ｂ）は平面図である。
【図４】カバー台座部の図であって、（ａ）は正面図、（ｂ）は側面図、（ｃ）は側面図、（ｄ）は（ａ）に示すＢ−Ｂ断面、（ｅ）は（ａ）に示すＣ−Ｃ断面図、（ｆ）は（ａ）に示すＤ−Ｄ断面図である。
【図５】カバー材の図であって、（ａ）は正面図、（ｂ）は側面図、（ｃ）は平面図である。
【図６】図８に示すＡ部の拡大図である。
【図７】図６に示すドア端部カバー受けを室外側から見た正面図である。
【図８】図１０に示すＥ−Ｅ縦断面である。
【図９】図１０に示すＦ−Ｆ縦断面である。
【図１０】本発明の実施の形態にかかるドアを室外側から見た正面図である。
【発明を実施するための形態】
【００１１】
以下に、添付図面を参照して本発明の実施の形態を説明する。図１０に示すように、本発明の実施の形態に係るドア１は、枠３（図８参照）と扉５とを備えており、図８に示すように、扉５は上枠７と下枠９との間で吊元側に設けた上ピボット軸１１と下ピボット軸１３により、枠３に対して回動自在に支持されている。
図２及び図８に示すように、上ピボット軸１１は扉５の上端部に配置した上ピボットヒンジ１５に設けてあり、上枠７には、上ピボット軸１１を受ける軸受け１７が設けてある。
図１及び図２に示すように、上ピボットヒンジ１５は、上述した上ピボット軸１１の他に、軸保持筒１９と、軸固定ねじ２１と、カバー台座部２３と、カバー材２５とを備えている。
図１及び図３に示すように、軸保持筒１９は金属材で円筒形状に形成してあり、筒内には上ピボット軸１１を上方に付勢するばね２７が設けてある。
軸固定ねじ２１は上ピボット軸１１に螺合してあり、軸保持筒１９の側部には、軸固定ねじ２１を上下方向に案内するガイド溝２９が形成してあり、上ピボット軸１１に取り付けた軸固定ねじ２１の軸部２１ｂがガイド溝２９を移動軸自在にしてある。
また、軸保持筒１９には、軸固定ねじ２１を所定位置で固定するねじ孔３１が形成してあり、上ピボット軸１１が軸受け１７に納まった位置で軸固定ねじ２１を軸保持筒１９に固定できるようにしてある。ガイド溝２９の左右方向の寸法Ｗ１は、軸固定ねじ２１の頭２１ａの左右方向の寸法Ｈよりも小さい。
図３に示すように、軸保持筒１９には支持部２０が設けてあり、支持部２０を扉５の上端部にねじ２２で固定することで軸保持筒１９を扉５に取り付けてある。
【００１２】
図１及び図２に示すように、カバー台座部２３は樹脂材製であり、扉５の表面材５ａに形成した孔部３３に配置されている。
図１及び図４に示すように、このカバー台座部２３は、軸保持筒１９のガイド溝２９に対応する位置に設けた開口部３５と、扉嵌合部３７と、軸保持筒当接部３９とを有しており、開口部３５からドライバーを挿通して軸固定ねじ２１を操作することで、軸固定ねじの２１の上下位置及び締め付けを調整自在にしてある。
図２に示すように、開口部３５の左右方向の寸法Ｗ２は、軸固定ねじの頭の左右方向の寸法Ｈよりも小さい。また、開口部３５の上下方向の寸法Ｇ１はガイド溝２９の上下寸法Ｍ（図３（ｂ）参照）と略同じである。
図１に示すように、扉嵌合部３７は扉の表面材５ａの露出孔部３３に嵌合してある。軸保持筒当接部３９（図４（ｂ）（ｆ）参照）は軸保持筒１９のガイド溝２９の下部で軸保持筒１９に当接してある。
【００１３】
図１、図２及び図５に示すように、カバー材２５は、カバー台座部２３の開口部３５を塞ぐものであり、樹脂材製である。このカバー材２５はカバー材本体４１と、ねじ干渉部４３と、上係合部４５と、下係合部４７とを備えている。
カバー材本体４１は、カバー材２５をカバー台座部２３に取り付けたときにカバー台座部２３の開口部３５を覆う。
図２に示すように、ねじ干渉部４３は、カバー本体４１の裏面に突設してあり、軸固定ねじ２１がガイド溝２９を移動自在な寸法Ｇ２と略同じ寸法Ｇ３としてある。
ねじ干渉部４３が裏面側へ突出する寸法Ｔは、軸固定ねじ２１がねじ孔３１に螺合して、適正な位置までねじ込まれているときには軸固定ねじの頭２１ａに干渉しないが、軸固定ねじ２１がねじ孔３１に螺合して、適正な位置までねじ込まれていないときには軸固定ねじ２１ａの頭に干渉して、カバー材４１が開口部３３を塞ぐことができない寸法としてある。
上係合部４５は、カバー台座部２３の開口部３５の上端部に係合する断面略Ｌ字形状を成す鉤状に形成してある。
下係合部４７は、カバー台座部２３の開口部３５の下端部に弾性を持って係合するものであり、弾性を付与する湾曲部４９と、湾曲部４９の下端に設けた嵌合部５１とが設けてある。
【００１４】
ここで、扉端部カバー材７１について説明する。図８及び図１０に示すように、扉５の下端には吊元側部を除く左右方向に亘って扉端部カバー材７１が取り付けてある。
図６に示すように、この扉端部カバー材７１、扉５の下端の室外側面に取り付けた扉端部カバー材受け７３に固定してある。
扉端部カバー材７１は、見付け面部７５と上面部７７と下面部７９とを有する断面略コ字形状を成す軟質樹脂材製であり、見付け面部７５には室内側に向けて突設する嵌合部８１が形成されている。また、上面部７７と下面部７９とには、各々扉端部カバー材受け７３に形成された被係合部８３に係合する係合部８５が形成されている。
扉端部カバー材７１の下面部７９は、扉５の下端見込み面のコーナー部を覆うように室内側に突出する見込み面部７９ａが形成されており、この見込み面部７９ａは、扉端部カバー材受け７３に装着する前の状態（図６に二点鎖線で示す）のときに角度Ｒで上方に傾斜してあり、扉端部カバー材受け７３に装着したときに扉下端の見込み面にぴったりと当接するようにしてある。
扉端部カバー材受け７３は、リベット８７で扉５の下端部に固定してあり、図７に示すように、位置決め孔７３ａと、位置調整可能な長孔７３ｂとが形成されている。
図９に示すように、端部カバー材受け７３の左右両端には、各々キャップ８９が装着してある。
【００１５】
次に、上ピボットヒンジ１５の操作、作用効果について説明する。
図２に示すように、枠３に扉５を建て込む際に、軸固定ねじ２１の頭２１ａを下げることで上ピボット軸１１を軸保持筒１９に対して下げ、扉５を建て込んだ後に、上ピボット軸１１をばね２７（図３参照）の付勢力に順じて扉５の上端から突出させて、軸受け１７に挿入する。上ピボット軸１１の上げ下げに伴ない軸固定ねじ２１がガイド溝２９を上下に移動する。
上ピボット軸１１が軸受け１７に適正に挿入したところで、図１に示すように、軸固定ねじ２１の軸部２１ａを軸保持筒１９のねじ孔３１に螺合させて、軸固定ねじ２１の頭２１ａを締め付け、軸固定ねじ２１を軸保持筒１９に固定する。
その後、カバー材２５をカバー台座部２３の開口部３５に嵌め入れる。カバー材２５は、軸固定ねじ２１が適正に締め付けた状態にあるときには、ねじ干渉部４３が軸固定ねじ２１の頭２１ａを押さえた状態で、カバー本体４１がカバー台座部２３の開口部３５を塞ぐ。このとき、カバー材２５は上係合部４５がカバー台座部２３の開口部３５の上端部に係合し、下係合部４７は開口部３５の下端部に弾性を持って嵌合する。
一方、軸固定ねじ２１がねじ孔３１に螺合していなかったり、螺合していても適正に締め付けていない場合には、軸固定ねじ２１のねじの頭２１ａが適正に締め付けているときよりもカバー台座部２３の開口部側に突設した位置にあるので、カバー台座部２３の開口部３５にカバー材２５を取付けようとすると、ねじ干渉部４３が軸固定ねじ２１の頭２１ａと干渉して、カバー台座部２３の開口部３５を塞ぐことができない。
【００１６】
本実施の形態によれば、図１に示すように、カバー台座部２３の開口部３５の左右方向の寸法Ｗ２は、軸固定ねじ２１の頭２１ａの左右方向の寸法Ｈよりも小さくしてあるので、使用や経年により軸固定ねじ２１が緩んでカバー台座部２３の開口部３５から軸固定ねじ２１が抜け落ちるのを防止できる。
また、カバー材２５をカバー台座部２３の開口部３５を塞いでいるときには、カバー材２５のねじ干渉部４３が軸固定ねじ２１の頭２１ａを押えることで、使用や経年により軸固定ねじ２１が緩んで抜け落ちるのを防止できる。
上ピボットヒンジ１５の上ピボット軸１１が軸受け１７に適切に挿入されていても、軸固定ねじ２１がねじ孔３１に螺合して、適正な位置までねじ込まれていない場合には、カバー材２５の裏面に設けたねじ干渉部４３が、軸固定ねじ２１の頭２１ａに当接してカバー材２５がカバー台座部２３の開口部３５を塞ぐことができないから、軸固定ねじ２１が上ピボット軸１１を固定しているか否かを確認できる。
【００１７】
扉端部カバー材７１を扉下端部に設けることにより、足のつま先等に、扉５の下端部が当たった場合に、足が傷付くのを防止できる。
扉下端の見込み面に、扉端部カバー材７１の見込み面部７９ａを設けているので、足の小さな子供等のつまさきが扉下端と下枠９との間に挟まった場合にも足が傷付くのを防止できる。
【００１８】
本発明は、上述した実施の形態に限らず、本発明の要旨を逸脱しない範囲で種々変形可能である。
例えば、カバー台座部２３は、軸保持筒１９と別体の構成としたが、軸保持筒１９と一体に構成しても良いし、カバー台座部２３は軸保持筒と同様に金属材としても良い。
請求項１に記載の発明においては、カバー材２５の裏側には、ねじ干渉部４３を設けていなくても良い。
請求項２に記載の発明においては、カバー台座部２３の開口部３５の左右方向の寸法Ｗ２は、軸固定ねじ２１の頭２１ａの左右方向の寸法Ｈよりも小さいことに限らず、これらの寸法の大小は制限されない。
【符号の説明】
【００１９】
１    ドア
５    扉
１１  上ピボット軸（軸）
１５  上ピボットヒンジ
１７  軸受け
１９  軸保持筒
２１  軸固定ねじ
２１ａ  軸固定ねじの頭
２３  カバー台座部
２５  カバー材
３５  開口部
４３  ねじ干渉部
Ｗ２  カバー台座部の開口部の左右方向の寸法
Ｈ    軸固定ねじの頭の左右方向の寸法
【図１】
2015090014.tif 000003
【図２】
2015090014.tif 000004
【図３】
2015090014.tif 000005
【図４】
2015090014.tif 000006
【図５】
2015090014.tif 000007
【図６】
2015090014.tif 000008
【図７】
2015090014.tif 000009
【図８】
2015090014.tif 000010
【図９】
2015090014.tif 000011
【図１０】
2015090014.tif 000012